(57)【要約】【課題】  吹出口から吹出される熱交換された空気と、換気装置から吹出される本体外の空気とが一様に混合して吹出口からは均一な温度分布の気流が吹き出されるようにした空気調和機を提供する。【解決手段】  換気装置１４を構成する換気用送風ファン収納部１４ｂは、熱交換器１０の一側に配置されている。換気用送風ファン収納部１４ｂには換気用送風ファンとファンモータが収納され、同換気用送風ファン収納部１４ｂの前縁部からは、熱交換器１０に沿って、円筒形状に形成された吹出パイプ１４ａが横長状に延設されており、同吹出パイプ１４ａの下面には、細長状に形成されたノズル１４ｃが開口されている。また、換気用送風ファン収納部１４ｂの後面側には吸入パイプ１４ｄが突設され、同吸入パイプ１４ｄには吸入ホース１５の一端が接続されている。同吸入ホース１５の他端は室外の外気に開放されるか、室外機２０に接続されるようになっている。【選択図】図３
2012220133.tif 000002
【特許請求の範囲】
【請求項１】
吸込口と吹出口とを備えた本体内に熱交換器と送風ファンとを設けるとともに、本体外の空気を取り入れ前記送風ファンの下流側から室内に吹出す換気装置を設けた空気調和機において、
前記換気装置は、本体外の空気を吹出す換気吹出口を有し、同換気吹出口は前記吹出口に沿って延設されてなることを特徴とする空気調和機。
【請求項２】
前記換気吹出口が、前記送風ファンと前記吹出口とを結ぶ通風路の上面に設けられてなることを特徴とする請求項１に記載の空気調和機。
【発明の詳細な説明】
【技術分野】
【０００１】
本発明は、空気調和機に関わり、より詳細には、換気装置を備えた構造に関するものである。
【背景技術】
【０００２】
換気装置を備えた従来の空気調和機として図７を用いて説明する。図７は空気調和機３１の断面図であり、同空気調和機３１は図示しない熱交換器と送風ファンとを備え、前面に吸込口３２を備え、前面下部に図示しない吹出口を備えており、一側に換気装置３３を備えている。
【０００３】
換気装置３３は、ケーシング３４と、同ケーシング３４内に収納され、図示しないモータによって駆動される換気用送風機３５と、ケーシング３４から前面側に導出され吹出口の側部に給気口３７ａを開口した給気ダクト３７と、ケーシング３４から後面側に導出され室外に外気吸入口３８ａを開口した換気ダクト３８とからなっている。
【０００４】
空気調和機３１の冷暖房運転中に換気用送風機３５が運転されると換気ダクト３８を介してケーシング３４に外気が取り込まれ、本体の吹出口から吹出される冷気あるいは暖気とともにケーシング３４の流路３６と給気ダクト３７とを介して給気口３７ａから外気が室内に送出されるようになっている。
【０００５】
しかしながら、換気装置３３の給気口３７ａが空気調和機３１の吹出口の側部に設けられているため、吹出口から吹出される熱交換された空気流と、給気口３７ａから吹出される空気流とが混合するようになっておらず、気流の温度分布が不均一となって使用者に不快感を与える虞があった。
【先行技術文献】
【特許文献】
【０００６】
【特許文献１】特開２００６−３２９６２６号（８頁、図３）
【発明の概要】
【発明が解決しようとする課題】
【０００７】
本発明は、上記問題点に鑑み、空気調和機の吹出口から吹出される熱交換された空気流と、換気装置から供給される外気とが容易に混合して室内の温度分布が均一となる空気調和機を提供することを目的とする。
【課題を解決するための手段】
【０００８】
本発明は、上記課題を解決するため、吸込口と吹出口とを備えた本体内に熱交換器と送風ファンとを設けるとともに、本体外の空気を取り入れ前記送風ファンの下流側から室内に吹出す換気装置を設けた空気調和機において、前記換気装置は、本体外の空気を吹出す換気吹出口を有し、同換気吹出口は前記吹出口に沿って延設されてなる構成となっている。
【０００９】
また、前記換気吹出口が、前記送風ファンと前記吹出口とを結ぶ通風路の上面に設けられてなる構成となっている。
【発明の効果】
【００１０】
請求項１の発明によれば、換気装置の吹出口に沿って延設された換気吹出口から本体外の空気が、送風ファンから吹出口に向かう熱交換された空気に一様に吹出され混合されることにより、吹出口からは均一な温度分布の気流が吹き出すことができるようになっている。
【００１１】
請求項２の発明によれば、換気吹出口が通風路の上面に設けられていることにより、通風路を通る熱交換された空気に本体外気の空気を直接吹出せるようになっている。
【図面の簡単な説明】
【００１２】
【図１】本発明による空気調和機を示す外観斜視図である。
【図２】本発明による空気調和機を示す断面図である。
【図３】本発明による空気調和機に設けられた換気装置を示す斜視図である。
【図４】冷房運転時における冷気と外気との混合を示す説明図である。
【図５】暖房運転時における暖気と外気との混合を示す説明図である。
【図６】室外機に設けられた除湿装置と送風ファンとを示す説明図である。
【図７】換気装置を備えた従来の空気調和機を示す断面図である。
【発明を実施するための形態】
【００１３】
以下、本発明の実施の形態を、添付図面に基づいた実施例として詳細に説明する。
【実施例１】
【００１４】
本発明による空気調和機の室内機１は、図１の外観斜視図で示すように、本体を構成する前面パネル２の前面上部に、後述する前面吸込口４を開閉可能なオープンパネル５を設け、前面パネル２の下部に上下風向板８を備えた吹出口６を設けている。運転停止時は上下風向板８は吹出口６を閉鎖し、同吹出口６への塵埃等の侵入を防止するようになっている。
【００１５】
室内機１は、図２の断面図で示すように、オープンパネル５の裏面に前面吸込口４を設けるとともに上面に上面吸込口３を設け、前面下部に吹出口６を設けている。同吹出口６の側方には、図示はしていないが、複数のＬＥＤ等からなる表示部と、リモートコントローラからの信号を受信する受信部が設けられ、また、吹出口６には吹出される気流を左右方向に偏向する複数の左右風向板７と、吹出される気流を上下方向に偏向する一方、上記したように、運転停止時は吹出口６を閉鎖する上下風向板８が設けられている。
【００１６】
前面吸込口４及び上面吸込口３と吹出口６とを結ぶ通風路には、吸込まれた空気に含有される塵埃を除去する後述するフィルタ９と、平行に並べられたフィンと同フィンに直交するように配設された伝熱管とからなり、前方上部熱交換器１０ａと前方下部熱交換器１０ｂと後方上部熱交換器１０ｃとで構成された熱交換器１０と、同熱交換器１０で冷媒と熱交換された空気を前記吹出口６から室内に送出するクロスフローファンからなる送風ファン１１が設けられている。
【００１７】
また、前方下部熱交換器１０ｂの下方には、同前方下部熱交換器１０ｂと前方上部熱交換器１０ａとから滴下する凝縮水を受ける前部露受皿１２が設けられ、後方上部熱交換器１０ｃの下方には、同後方上部熱交換器１０ｃから滴下する凝縮水を受ける後部露受皿１３が設けられている。
【００１８】
送風ファン１１と吹出口６とを結ぶ通風路は、前面側がフロントガイダ１６で形成され、後面側はリアガイダ１７で形成されており、送風ファン１１から送出された気流はフロントガイダ１６とリアガイダ１７にガイドされて吹出口６から室内に吹出されるようになっている。
【００１９】
フロントガイダ１６には空気調和機１の長手方向に切欠かれた切欠き１６ａが形成されており、同切欠き１６ａの上方に位置してフロントガイダ１６の上面には、換気吹出口としてのノズル１４ｃを備えた吹出パイプ１４ａが配置されている。同ノズル１４ｃは吹出パイプ１４ａの下面に長手方向に沿って開口しており、同ノズル１４ｃからは換気装置１４により取り込まれた本体外の空気が切欠き１６ａを通過して、送風ファン１１と吹出口６とを結ぶ通風路に吹出されるようになっている。
【００２０】
次に、換気装置１４の構成について説明する。図３に示すように、前方上部熱交換器１０ａと前方下部熱交換器１０ｂと後方上部熱交換器１０ｃとで構成された熱交換器１０の左側には、図示しない換気用送風ファンを収納した換気ケーシング１４ｂが配置されている。同換気ケーシング１４ｂの前縁部からは吹出口６に沿って、円筒形状に形成された吹出パイプ１４ａが横長状に延設されており、同吹出パイプ１４ａの下面には、点線で示すように、細長状に形成されたノズル１４ｃが開口されている。また、換気ケーシング１４ｂの後面側には換気吸込口１４ｄが突設されており、同換気吸込口１４ｄには吸入ホース１５の一端が接続されている。同吸入ホース１５の他端は本体外に開放されるか、あるいは後述するように室外機２０に接続されるようになっている。
【００２１】
尚、ノズル１４ｃは上記した形状に限定されるものではなく、吹出パイプ１４ａから吹出す開口であれば種々の形状変更が可能であり、例えば円形状の孔を吹出パイプ１４ａに沿って複数設けても良い。また、ノズル１４ｃの一端側と他端側とで吹出す風量を等しくするため、開口面積を適宜変更するようにしても良い。
【００２２】
換気ケーシング１４ｂに収納された換気用送風ファンは、多数のブレードを周上に配設した遠心ファンから形成され、換気ケーシング１４ｂには換気用送風ファンを駆動するファンモータも収納されている。吸入ホース１５を介して換気ケーシング１４ｂに吸入された外気は、換気用送風ファンにより吹出パイプ１４ａに送出され、同吹出パイプ１４ａの下面に開口されたノズル１４ｃから吹出されるようになっている。
【００２３】
次に、冷房運転時の換気装置１４の動作について説明する。図４に示すように、冷房運転時、オープンパネル５は開放され、前面吸込口４及び上面吸込口３から吸込まれた室内機の空気は、前方上部熱交換器１０ａと前方下部熱交換器１０ｂと後方上部熱交換器１０ｃとを通過することにより、これらを流れる冷媒と熱交換され、送風ファン１１により吹出口６から冷気となって吹出されるようになっている。
【００２４】
冷房運転時、上下風向板８は先端部を若干下方に向けた緩い傾斜状態に回動され、送風ファン１１から送出された冷気は緩い傾斜状態の上下風向板８にガイドされて室内の遠方に届くよう水平方向に向かい吹出されるようになっている。
【００２５】
換気装置１４が駆動されると、フロントガイダ１６の上部に設けられた吹出パイプ１４ａのノズル１４ｃからは換気装置１４に取込まれた外気が吹出され、上下風向板８の上方を流れる冷気と混合するようになっている。この際、横長状に延設された吹出パイプ１４ａのノズル１４ｃから外気が、送風ファン１１より吹出口６に向かう冷気の幅方向に沿って一様に吹出され、冷気に混合されることにより、吹出口６からは均一な温度分布の気流が吹き出され、室内の温度分布を良好な状態に保つようになっている。これにより、冷気が使用者の肌に直接触れて不快感を感じさせる、所謂ドラフト感を抑制することができるようになっている。
【００２６】
次に、暖房運転時の換気装置１４の動作について説明する。図５に示すように、暖房運転時においても冷房運転時と同様にオープンパネル５が開放され、前面吸込口４及び上面吸込口３から吸込まれた室内機の空気は、前方上部熱交換器１０ａと前方下部熱交換器１０ｂと後方上部熱交換器１０ｃとを通過することにより、これらを流れる冷媒と熱交換され、送風ファン１１により吹出口６から暖気となって吹出されるようになっている。
【００２７】
暖房運転時、上下風向板８は先端部を若干前方に向けた垂直状態に近い傾斜状態に回動され、送風ファン１１から送出された暖気は垂直状態に近い上下風向板８にガイドされて、直下方向に吹出されるようになっている。
【００２８】
換気装置１４が駆動されると、吹出パイプ１４ａのノズル１４ｃからは換気装置１４に取込まれた外気が吹出され、暖気とは区画されて吹出口６から室内に吹出されるようになっている。これにより吹出口６から吹出される暖気の吹出温度の低下を防止するようになっている。尚、本願では吹出パイプ１４ａを通風路の上面となるフロントガイダ１６に設けて説明しているが、これに限定されるものではなく、通風路の下面となるリアガイダ１７に設けても良く、また、両者に夫々設けても良い。
【実施例２】
【００２９】
次に、換気装置１４に取込まれる外気の湿度調節について説明する。図６に示すように、室内機１に備えられた換気装置１４から導出された吸入ホース１５は、室外に設置された室外機２０の上部に接続されている。室外機２０の上部には、除湿部材２３と室外機換気用送風ファン２４とが設けられており、除湿部材２３の下方には図示しない吸込口が設けられている。同吸込口から吸込まれた外気は、除湿部材２３を通過して除湿された後、室外機換気用送風ファン２４に吸引され吸入ホース１５を介して室内機１の換気装置１４に供給されるようになっている。
【００３０】
夏場等の湿気の多い時季においては、室外機２０に設けられた除湿部材２３により適正に除湿された空気が換気装置１４により室内に供給されることにより、室内の湿度上昇を防止しながら換気運転を適正に行うことができるようになっている。尚、これに限定されるものではなく吸入ホース１５の開口端は、上記したように、本体外に開放しても良い。
【符号の説明】
【００３１】
１  室内機
２  前面パネル
３  上面吸込口
４  前面吸込口
５  オープンパネル
６  吹出口
７  左右風向板
８  上下風向板
９  フィルタ
１０  熱交換器
１０ａ  前方上部熱交換器
１０ｂ  前方下部熱交換器
１０ｃ  後方上部熱交換器
１１  送風ファン
１２  前部露受皿
１３  後部露受皿
１４  換気装置
１４ａ  吹出パイプ
１４ｂ  換気ケーシング
１４ｃ  ノズル
１４ｄ  換気吸込口
１５  吸入ホース
１６  フロントガイダ
１６ａ  切欠き
１７  リアガイダ
２０  室外機
２１  吹出口
２２  吸込口
２３  除湿部材
２４  室外機換気用送風ファン
【図１】
2012220133.tif 000003
【図２】
2012220133.tif 000004
【図３】
2012220133.tif 000005
【図４】
2012220133.tif 000006
【図５】
2012220133.tif 000007
【図６】
2012220133.tif 000008
【図７】
2012220133.tif 000009